(57)【要約】      （修正有）【課題】基板ケースの本体部材と連結部との隙間から工具のアクセスを防止し、無理にアクセスした場合の痕跡を残す。【解決手段】ケース本体部材５０の一端側略中央部に係合凹部を有する本体側係合部と、本体側係合部と対向するようにケース蓋部材の一端側に連結部６５を介して設けられ本体側係合部と対向する側が開口した碗状に形成された蓋側係合部６４と、外部に突出する係合爪部を有し蓋側係合部６４に挿入されるストッパ部材とからなり、ケース本体部材５０にケース蓋部材を装着したときに、係合凹部と係合爪部とが係合してケース本体部材５０とケース蓋部材とを閉止状態で固定保持され、ケース蓋部材の一端側と蓋側係合部６４とを連結する連結部６５がケース蓋部材がケース本体部材５０に装着されたときにケース本体部材５０に対して略垂直に延びる板状になるとともに、ケース本体部材５０と対向する端部がケース本体部材５０に近接するように延びる。【選択図】図７
2009148383.tif 000002
【特許請求の範囲】
【請求項１】
ケース本体部材に対してケース蓋部材をスライド移動して装着し、内部に遊技機の作動を制御する制御基板を収容保持して前記遊技機に取り付けられる基板ケースにおいて、
前記ケース本体部材の一端側に形成され、略中央部に凹状に形成された係合凹部を有する本体側係合部と、
前記ケース本体部材に装着されたときに前記本体側係合部と対向するように前記ケース蓋部材の一端側に連結部を介して設けられ、前記本体側係合部と対向する側が開口した碗状に形成された蓋側係合部と、
外部に突出する係合爪部を有し、前記蓋側係合部に挿入されるストッパ部材とから構成され、前記ケース本体部材に前記ケース蓋部材を装着したときに、前記係合凹部と前記係合爪部とが係合して前記ケース本体部材と前記ケース蓋部材とを閉止状態で固定保持する基板ケースの不正開放防止機構であって、
前記ケース蓋部材の一端側と前記蓋側係合部とを連結する前記連結部は、前記ケース蓋部材が前記ケース本体部材に装着されたときに、前記ケース本体部材に対して略垂直に延びる板状に形成されるとともに、前記ケース本体部材と対向する端部が前記ケース本体部材に近接するように延びて設けられることを特徴とする基板ケースの不正開放防止機構。
【請求項２】
前記連結部は、前記ケース本体部材と近接する側の本体側部分の厚みが、前記本体側部分と連なる反対側の部分に比して薄く形成されてなることを特徴とする基板ケースの不正開放防止機構。
【発明の詳細な説明】
【技術分野】
【０００１】
本発明は、遊技機の作動を制御する制御基板を内部に収容保持して遊技機に取り付けられる基板ケースにおいて、この基板ケースが不正に開放されることを防止する基板ケースの不正開放防止機構に関する。
【背景技術】
【０００２】
パチンコ機やスロットマシン等の遊技機には、賞球もしくはメダルの払出制御、電動役物の開閉制御、リールの回転制御、図柄組み合わせの発生確立制御等、遊技機の作動を制御する制御基板が複数設けられている。これらの制御基板は、例えば、遊技プログラムを改ざんした不正ＲＯＭへの差し替えや、制御基板の裏面側にいわゆるジャンパ線を飛ばして不正回路を付加する等の不正改造を防止するため、また、万一制御基板に何らかの不正行為がなされたときにその状態を外部から目視検査により早期発見できるように透明な基板ケースに収容された状態で遊技機に取り付けられている。
【０００３】
この基板ケースには、ケースを開いたときにその痕跡が残るような不正開放の防止手段が設けられており、このような不正開放の防止手段は種々提案され実用されている（例えば、特許文献１を参照）。例えば、基板ケースを本体部材に対して蓋部材が揺動して開閉可能に構成し、閉止状態の本体部材と蓋部材とを特殊ネジで締結して不正開放できないように構成されたものが知られている。このように特殊ネジで本体部材と蓋部材とを締結するように構成された基板ケースでは、基板ケースの組立作業が繁雑になるという問題があった。
【０００４】
また、基板ケースが本体部材に対して蓋部材をスライド移動して開閉可能に構成し、本体部材に係合凹部が形成され、蓋部材に係合爪部を有するストッパ部材を保持する保持部が切断可能な連結部を介して設けられ、係合凹部と係合爪部とが係合して本体部材と蓋部材とを閉止状態で固定保持するように構成されたものが知られている。このようにストッパ部材により本体部材と蓋部材とを閉止状態で固定保持するように構成された基板ケースでは、ストッパ部材を保持部に挿入して本体部材に対して蓋部材をスライド移動するだけで良いため、基板ケースの組立作業が容易である。また、基板ケースを開くためには連結部を切断して保持部を蓋部材から切り離す必要があり、基板ケースの開放後は、連結部の切断痕跡が明確に残るため、不正な開放を早期に発見することができるとともに、不正行為を効果的に抑止できる。
【０００５】
【特許文献１】特開２００７‐５０２３１号公報
【発明の開示】
【発明が解決しようとする課題】
【０００６】
ところで、上記のようにストッパ部材により本体部材と蓋部材とを閉止状態で固定保持するように構成された基板ケースでは、例えば、内部に収容保持された制御基板を検査するために、連結部をニッパー等の工具で切断して閉止状態の基板ケースを開放する場合がある。この連結部は、従来、連結部としての最低限の強度とともにニッパー等の工具による切断の作業性を考慮して設けられており、閉止状態の基板ケースにおいて本体部材と連結部との間に隙間が生じていた。そのため、本体部材と連結部との間に生じる隙間にドライバー等の工具を差し込んで操作することにより、その痕跡を大きく残すことなく基板ケースが不正に開放される虞があった。
【０００７】
本発明はこのような課題に鑑みてなされたものであり、基板ケースの本体部材と連結部との間に生じる隙間からの工具のアクセスを防止するとともに、無理に工具を差し込もうとした場合にその痕跡を明確に残すことが可能な基板ケースの不正開放防止機構を提供することを目的とする。
【課題を解決するための手段】
【０００８】
上記課題を解決して目的を達成するため、本発明に係る不正開放防止機構は、ケース本体部材に対してケース蓋部材をスライド移動して装着し、内部に遊技機（例えば、実施形態におけるパチンコ機ＰＭ）の作動を制御する制御基板（例えば、実施形態における主制御基板３１）を収容保持して前記遊技機に取り付けられる基板ケース（例えば、実施形態における主基板ケース１００）に用いられるものであり、前記ケース本体部材の一端側に形成され、略中央部に凹状に形成された係合凹部を有する本体側係合部と、前記ケース本体部材に装着されたときに前記本体側係合部と対向するように前記ケース蓋部材の一端側に連結部を介して設けられ、前記本体側係合部と対向する側が開口した碗状に形成された蓋側係合部と、外部に突出する係合爪部を有し、前記蓋側係合部に挿入されるストッパ部材とから構成され、前記ケース本体部材に前記ケース蓋部材を装着したときに、前記係合凹部と前記係合爪部とが係合して前記ケース本体部材と前記ケース蓋部材とを閉止状態で固定保持するように構成される。そして、前記ケース蓋部材の一端側と前記蓋側係合部とを連結する前記連結部が、前記ケース蓋部材が前記ケース本体部材に装着されたときに、前記ケース本体部材に対して略垂直に延びる板状に形成されるとともに、前記ケース本体部材と対向する端部が前記ケース本体部材に近接するように延びて設けられる。
【０００９】
上記基板ケースの不正開放防止機構において、前記連結部は、前記ケース本体部材と近接する側の本体側部分（例えば、実施形態における前方部分６５ａ）の厚みが、前記本体側部分と連なる反対側の部分に比して薄く形成されてなることが好ましい。
【発明の効果】
【００１０】
本発明に係る基板ケースの不正開放防止機構では、ケース蓋部材の一端側と蓋側係合部とを連結する連結部が、ケース蓋部材がケース本体部材に装着されたときに、ケース本体部材に対して略垂直に延びる板状に形成されるとともに、ケース本体部材と対向する端部がケース本体部材に近接するように延びて設けられる。そのため、ケース本体部材と連結部との間にドライバー等の工具を差し込むことができる程の隙間が生じない。したがって、ケース本体部材と連結部との間からの工具のアクセスにより基板ケースが不正に開放されることを防ぐことができる。
【００１１】
また、連結部は、ケース本体部材と近接する側の本体側部分の厚みが、前記本体側部分と連なる反対側の部分に比して薄く形成されることにより、ケース本体部材と連結部との間に無理に工具を差し込もうとすると、薄厚に形成された連結部の本体側部分が破断されて破断痕跡が明確に残るため、基板ケースの不正な開放を早期に発見することができるとともに、不正行為を効果的に抑止することができる。
【発明を実施するための最良の形態】
【００１２】
以下、本発明の好ましい実施形態について図面を参照して説明する。本発明を適用した遊技機の一例としてパチンコ機ＰＭの正面図および背面斜視図をそれぞれ図１および図２に示しており、この図を参照してパチンコ機ＰＭの全体構成について説明する。
【００１３】
パチンコ機ＰＭは、外郭方形の所定枠サイズに構成されて縦向きの固定保持枠をなす外枠１の開口前面に、これに合わせた方形枠サイズに構成された開閉搭載枠をなす前枠２が互いの正面左側縁部に配設された上下のヒンジ機構３ａ，３ｂにより前方に横開き開閉および着脱が可能に取り付けられ、正面右側縁部に設けられた施錠機構４を利用して常には外枠１に閉鎖施錠された状態で保持される。
【００１４】
前枠２の前面側には、前側面域に合わせた方形状のガラス扉５および球皿ユニット６が正面左側部に設けられたヒンジ機構７ａ，７ｂ，７ｃを利用して横開き開閉および着脱が可能に組付けられ、常には施錠機構４を利用して外枠１に閉鎖状態で保持される。球皿ユニット６の右側下部には遊技球の発射操作を行う操作ハンドル８が設けられ、操作ハンドル８の左方には効果音を発生するスピーカ９が設けられている。前枠２の中央部から上部にかけて後方に突出する方形枠状の収容枠（図示せず）が前枠２と一体に形成されており、この収容枠に所定のゲージ設定で構成された遊技盤１０が着脱可能にセット保持され、常には閉鎖保持されるガラス扉５を通して遊技盤１０の正面の遊技領域ＰＡを臨ませるようになっている。
【００１５】
遊技盤１０は、積層合板の表面に所定意匠のセルを貼り付けた化粧板１１（ベニヤ板とも称される）を基板として構成され、化粧板１１の前面側に内外の案内レール１２が円弧状に固設され、この案内レール１２で囲まれた内側に、遊技球発射装置（図示せず）から打ち出された遊技球が転動可能な略円形の遊技領域ＰＡが区画される。
【００１６】
遊技領域ＰＡには、多数本の遊技釘や風車１３とともに、一般入賞具や始動具ならびに大入賞口を備えたアタッカー等の入賞具１４、および遊技の進行状況に応じて所定の画像を表示させる画像表示装置１５が設けられている。遊技領域ＰＡの下端には、入賞具１４に入賞せずに遊技領域ＰＡの下端まで落下した遊技球（「アウト球」という）を、遊技盤１０の裏面に排出させるアウト口１６が設けられている。各入賞具１４に落入した遊技球（「セーフ球」という）は、これらの入賞具１４に設けられた入賞口スイッチまたは始動口スイッチにより検出され、化粧板１１を貫通するセーフ球通路（図示せず）を通って遊技盤１０の裏面に排出される。また、アウト口１６に集められたアウト球は、化粧板１１を貫通するアウト球通路（図示せず）を通って遊技盤１０の裏面側に排出される。ガラス扉５および遊技盤１０の各部には、遊技展開を視覚的に演出するＬＥＤやランプ等の光源を用いた電飾装置１７が設けられている。
【００１７】
以上のように構成されたパチンコ機ＰＭは、前枠２、ガラス扉５および球皿ユニット６がともに閉止され施錠された状態で遊技に供され、球皿ユニット６に遊技球を貯留させて操作ハンドル８を回動操作することにより遊技が開始される。操作ハンドル８が回動操作されると、球皿ユニット６に貯留された遊技球が遊技球発射装置（図示せず）により１球ずつ遊技盤１０の遊技領域ＰＡに打ち出され、以降パチンコゲームが展開される。
【００１８】
遊技盤１０の後方に位置する前枠２の裏面側には、パチンコ機ＰＭの作動を統括的に制御する主制御基板３１（図３参照）が収容された主基板アッセンブリ３０や、主制御基板３１における遊技展開に応じて遊技盤１０に設けられた画像表示装置１５に表示される画像の制御を行う画像制御基板（図示せず）が収容された画像基板アッセンブリ４０等が取り付けられている。なお、以降の説明においては、図中に付記する前後、左右および上下の指す方向をそれぞれ、前後方向、左右方向および上下方向と称して説明する（図２を参照）。
【００１９】
遊技盤１０の中央部には、画像表示装置１５を取り付けるための開口部１８が形成されており、この開口部１８を挟むように遊技盤１０の裏面側の左右縁部に画像アッセンブリ取付部１９ａ，１９ｂが配設されている。画像基板アッセンブリ４０の左右両側部の上下には合計４個の取付突起部４０ａ，４０ｂが形成されており、この取付突起部４０ａ，４０ｂがネジ締結等で画像アッセンブリ取付部１９ａ，１９ｂに取り付けられて画像基板アッセンブリ４０が遊技盤１０に固定される。
【００２０】
また、遊技盤１０の下部における裏面側の左右縁部には、左右一対の主基板アッセンブリ取付部２０が配設されており、この主基板アッセンブリ取付部２０に主基板アッセンブリ３０が取り付けられている。なお、主基板アッセンブリ取付部２０は、画像アッセンブリ取付部１９ａ，１９ｂよりも後方に突出するように形成されており、主基板アッセンブリ３０の上部が、後面視において、画像基板アッセンブリ４０の下部を後方から覆うように遊技盤１０に取り付けられている。このように、主基板アッセンブリ３０が画像基板アッセンブリ４０の一部を覆う（後面視において一部が重なる）ように配置することにより、画像基板アッセンブリ４０の大型化に対して遊技盤１０の上下方向寸法を大きくすることなく、これらのアッセンブリ３０，４０をこの遊技盤１０の裏面側に配設することができる。
【００２１】
次に、主基板アッセンブリ３０について図３〜図５を参照して説明する。主基板アッセンブリ３０は、パチンコ機ＰＭの作動を統括的に制御する主制御基板３１と、主制御基板３１を内部に収容する主基板ケース１００（図４を参照）とから構成される。さらに、主基板ケース１００は、遊技盤１０の裏面側に着脱されるケース本体部材５０と、このケース本体部材５０に着脱自在に取り付けられるケース蓋部材６０とから構成される。
【００２２】
主基板アッセンブリ３０は、主制御基板３１がケース蓋部材６０の内面側に取り付けられた状態で、このケース蓋部材６０をケース本体部材５０に装着可能に構成される。なお、主基板アッセンブリ３０の主基板アッセンブリ取付部２０に対する固定は、ケース本体部材５０の左側部から外方に延びた左側固定部５８に取り付けられた左ナイラッチ（登録商標）３６と、ケース蓋部材６０の右側部から外方に延びた右側固定部６８に取り付けられた右ナイラッチ（登録商標）３７とが用いられる。
【００２３】
主制御基板３１は、図３に示すように、矩形板状の形状を有しており、後面には中央部に配設されたＲＯＭやＲＡＭを内臓のＣＰＵ等の電子デバイス３２や左右に配設された接続コネクタ３３，３３，・・・等の電子部品、および両面に配設された複数の配線パターン（図示せず）を有して構成される。この主制御基板３１の四隅には、基板取付孔３４，３４，…が形成されており、基板取付ネジ３５，３５，…を各基板取付孔３４に挿入し、ケース蓋部材６０に形成された基板取付部６７，６７，…（図５を参照）に対して螺挿してネジ締結するように構成されている。
【００２４】
ケース本体部材５０は、主基板ケース１００が遊技盤１０に取り付けられた状態で後面側に開口を有する矩形箱状の形状を有しており、ＡＢＳ樹脂やポリカーボネート（ＰＣ）等の透明な樹脂材料を用いて成形される。このケース本体部材５０の内面側底部５１には、補強リブ５１ａが縦横に格子状に形成されており、ケース本体部材５０の強度を向上させている。
【００２５】
ケース本体部材５０の本体部材側壁部（底部５１の上下の縁部から後方に延びる側壁部）５３，５３には、複数の蓋部材取付溝５４がそれぞれ形成されている。この蓋部材取付溝５４は、後方およびケース本体部材５０の内面側に開口する挿入溝部と左側に延びてケース本体部材５０の内面側に開口する係止溝部とから構成され、上方もしくは下方から見たときに本体部材側壁部５３に対してＬ字状の溝として形成されている。また、本体部材側壁部５３の内側の壁面と平行に、各蓋部材取付溝５４とそれぞれ対向するように、蓋部材押圧壁５２が底部５１から後方に板状に延びて形成されている。この蓋部材押圧壁５２の左右方向幅は、蓋部材取付溝５４の左右方向幅と略同一の大きさに形成されており、上方もしくは下方から見たときに、蓋部材押圧壁５２と蓋部材取付溝５４とは重なるように配置されている。
【００２６】
ケース蓋部材６０は、ケース本体部材５０の開口を覆う矩形箱状の形状を有しており、ＡＢＳ樹脂やポリカーボネート（ＰＣ）等の透明な樹脂材料を用いて一体的に成形される。このケース蓋部材６０の上下左右の縁部から前方に延びる蓋部材側壁部６６には、上下方向（外方）に突出する係止突起部６２が複数形成されている。この係止突起部６２は、上記の蓋部材取付溝５４と同じ数だけ形成されており、その配置間隔も蓋部材取付溝５４と対応している。また、蓋部材側壁部６６の内側面には、各々の係止突起部６２と対応して内方に突出する押圧突起部６１（図５を参照）が形成されている。この押圧突起部６１は、係止突起部６２に対してケース本体部材５０にケース蓋部材６０を取り付けるときにスライド移動させる方向と反対方向にずれて形成されている。
【００２７】
ケース本体部材５０に対してケース蓋部材６０を取り付けるときは、後方から蓋部材取付溝５４の挿入溝部に係止突起部６２を挿入し、その後、ケース蓋部材６０を左右方向（この実施形態においては左方向）にスライド移動させて係止突起部６２を蓋部材取付溝５４の係止溝部に挿入させることで、係止突起部６２と蓋部材取付溝５４とを嵌合させる。
【００２８】
このとき、係止突起部６２を蓋部材取付溝５４の挿入溝部に挿入した状態では、蓋部材側壁部６６の内側面から内方に突出する押圧突起部６１は、蓋部材押圧壁５２の右方に位置するが、この状態からケース蓋部材６０をケース本体部材５０に対して左方にスライド移動させ、係止突起部６２が蓋部材取付溝部５４の係止溝部に挿入させた状態では、蓋部材側壁部６６の外側面と本体部材側壁部５３の内側面とが密接し、押圧突起部６１は本体部材側壁部５３と蓋部材押圧壁５２とに狭持される。
【００２９】
ケース本体部材５０およびケース蓋部材６０を以上のように構成すると、ケース本体部材５０にケース蓋部材６０を取り付けたときに、係止突起部６２が蓋部材取付溝５４と嵌合するため、ケース蓋部材６０はケース本体部材５０に対して後方への移動（ケース本体部材５０からケース蓋部材６０を外すための移動）が規制される。また、蓋部材側壁部６６は、内側面から内方に突出する押圧突起部６１と蓋部材押圧壁５２とによりケース本体部材５０の内側面に押しつけられて密接しているため、蓋部材側壁部６６を内側に押し込むことができず、係止突起部６２を蓋部材取付溝５４から外すことができない。
【００３０】
ケース本体部材５０の左端部には本体側仮止部５５が形成されており、ケース蓋部材６０の左端側には蓋側仮止部６３が形成されている。ケース本体部材５０にケース蓋部材６０が取り付けられたとき、すなわち、ケース本体部材５０に対してケース蓋部材６０が左方向にスライド移動して取り付けられたときに、これらの本体側仮止部５５と蓋側仮止部６３との位置は一致して係合し、ケース蓋部材６０がケース本体部材５０に対して右方向にスライド移動するのを規制する。なお、ケース本体部材５０およびケース蓋部材６０は、上述のように、樹脂材料で薄く形成されており容易に撓めることができる。そのため、蓋側仮止部６３の左端側を本体側仮止部５５から離すように撓めることにより本体側仮止部５５と蓋側仮止部６３との係合は解除され、ケース本体部材５０に対してケース蓋部材６０を右方にスライド移動して、このケース蓋部材６０をケース本体部材５０から取り外すことができる。
【００３１】
このように、主制御基板３１が収容される主基板ケース１００を、互いに分離できるケース本体部材５０とケース蓋部材６０とに分けて構成することにより、主制御基板３１をケース蓋部材６０に取り付けるときは、このケース蓋部材６０の開口部を上方に向けて作業机等に載置した状態で行うことができるので、取り付け作業が容易になり組み立ての作業効率が向上する。また、ケース蓋部材６０をケース本体部材５０に取り付けるときも、スライド移動だけで取り付けることができるので、この作業も容易である。さらに、このようにケース本体部材５０にケース蓋部材６０をスライド移動して取り付ける構成にすると、ケース本体部材５０側に蓋部材取付溝５４を設け、ケース蓋部材６０に係止突起部６２を設けることで取り付け構造が形成できるため、主基板ケース１００を簡単な構造にすることができる。
【００３２】
以上のように、主制御基板３１は、主基板ケース１００（ケース本体部材５０およびケース蓋部材６０）内に格納されているため、主制御基板３１に対する不正行為を防止することができる。しかしながら、ケース本体部材５０に対してケース蓋部材６０が取り付けられた状態にあるときは、本体側仮止部５５と蓋側仮止部６３とが係合しているだけであり、ケース本体部材５０からケース蓋部材６０を取り外すことは容易である。そこで、閉止状態にあるケース蓋部材６０をケース本体部材５０に対してスライド移動できなくして不正操作を防止するために、主基板アッセンブリ３０の主基板ケース１００には不正開放防止機構７０が設けられている。そこで、図６〜８を追加参照して主基板アッセンブリ３０に設けられた不正開放防止機構７０について以下に説明する。
【００３３】
不正開放防止機構７０は、図３等に示すように、ケース本体部材５０の左端側に連結して一体に形成された４つの本体側係合部５６と、ケース蓋部材６０の左端側に連結して形成された４つの蓋側係合部６４と、蓋側係合部６４に挿入されて、ケース本体部材５０にケース蓋部材６０を固定保持する４つのストッパ部材７１とから構成される。
【００３４】
本体側係合部５６は、図５に示すように、ケース本体部材５０にケース蓋部材６０が取り付けられたときに、蓋側係合部６４に覆われる係合底部５６ａと、この係合底部５６ａの上下縁部および左方縁部から前方に延び蓋側係合部６４の開口部の周りを覆う係合壁部５６ｂとから構成され、係合底部５６ａの略中央部には凹状の係合凹部５６ｃと凹状の爪待避凹部５６ｆが左右に並んで形成されている。また、係合凹部５６ｃおよび爪待避凹部５６ｆを上下に挟むように、左右に延びる係合溝５６ｄ，５６ｄが形成されている。さらに、係合壁部５６ｂの右方先端には、ケース本体部材５０にケース蓋部材６０が取り付けられたときに蓋側係合部６４を抑える係合保持部５６ｅ，５６ｅが形成されている。
【００３５】
蓋側係合部６４は、ケース本体部材５０にケース蓋部材６０が取り付けられたときに、本体側係合部５６と対向する側（前方側）に開口した矩形箱状に形成されており、ケース蓋部材６０において主制御基板３１を収納する領域を形成する左側の側壁部６６に連結部６５によって連結されている。また、上下両側部には外方に突出して上述の係合保持部５６ｅと係合する係合突起部６４ａ，６４ａが形成されている。この係合突起部６４ａは、左方に延びて係合保持部５６ｅ内に挿入される嵌合部分および、後方に延びて係合壁部５６ｂの右方先端と衝合する衝合部分とから構成され、下方もしくは上方から見たときに蓋側係合部６４の上下両側部に対してL字状の突起（リブ）として形成されている（図３を参照）。なお、係合突起部６４ａの衝合部分は、図６，７に示すように、蓋側係合部６４の上下側部の前端から後端まで前後方向に延びて、後端側へ徐々に左右の厚みが薄くなるように形成されており、ケース本体部材５０にケース蓋部材６０が取り付けられたときに係合壁部５６ｂよりも後方および、上方もしくは下方に突出するようになっている。
【００３６】
蓋側係合部６４の右側面と左側の側壁部６６とを連結する連結部６５は、蓋側係合部６４の右側面の前端から後端まで前後方向に延びる上下一対の板状に形成されており、ケース本体部材５０にケース蓋部材６０が取り付けられたときに連結部６５の前端部が係合底部５６に近接するように構成されている。また、連結部６５の板厚（上下方向の厚み）は、図７に示すように、前方部分６５ａ（ケース本体部材５０と近接する側）が後方部分６５ｂよりも薄くなるように形成されており、さらに前方部分６５ａが前方側へ徐々に薄くなるように形成されている。なお、連結部６５は切断可能に構成されており、ケース蓋部材６０から蓋側係合部６４を分離可能である。
【００３７】
ストッパ部材７１は、図３に示すように、樹脂等からなる矩形箱状に形成されており、一方の面に舌状に切り込まれた係合爪部７２および、この係合爪部７２を挟むように外方に突出して係合爪部が延びる方向に略平行に延びるガイド部７３，７３が形成されている。ストッパ部材７１は蓋側係合部６４内に挿入されて用いられ、図８に示すように、ケース本体部材５０に取り付けられたケース蓋部材６０の右方向へのスライド移動を規制する場合には係合爪部７２が外方に向くように挿入される。一方、係合爪部７２が蓋側係合部６４内に位置するように挿入された場合には、ケース本体部材５０に対してケース蓋部材６０は右方にスライド移動可能となる。
【００３８】
係合爪部７２が外方を向くようにストッパ部材７１を蓋側係合部６４内に挿入し、ケース蓋部材６０をケース本体部材５０に対してスライド移動させて蓋側係合部６４が本体側係合部５６と対向して重なる状態にすると、蓋側係合部６４に挿入されたストッパ部材７１に設けられた係合爪部７２と本体側係合部５６に設けられた係合凹部５６ｃとが係合する（図８を参照）とともに、ストッパ部材７１のガイド部７３，７３が本体側係合部５６の係合溝５６ｄ，５６ｄにそれぞれ挿入され、さらに、係合突起部６４ａと係合保持部５６ｃとが嵌合して本体側係合部５６と蓋側係合部６４とが係止保持され、ケース本体部材５０に対するケース蓋部材６０の右方向へのスライド移動が規制される。そのため、ケース本体部材５０にケース蓋部材６０が装着された状態、すなわち、係止状態が保持される。これにより、本体側係合部５６と蓋側係合部６４とをストッパ部材７１を介して容易に連結させることができ、ケース本体部材５０とケース蓋部材６０とを閉止状態で容易に連結保持することができる。
【００３９】
このような不正開放防止機構７０によりケース本体部材５０とケース蓋部材６０とが閉止状態で結合保持されれば、本体側係合部５６と係合したストッパ部材７１との係合を解除するのは非常に困難であり、主基板ケース１００（主基板アッセンブリ３０）を開くためには、連結部６５を切断して蓋側係合部６４をケース蓋部材６０から切り離す必要がある。そのため、主基板ケース１００の解放後は、連結部６５の切断痕跡が明確に残るため、不正な開放を早期に発見できるとともに、不正行為を効果的に抑止できる。
【００４０】
また、不正開放防止機構７０では、ケース蓋部材６０の左側の側壁部６６と蓋側係合部６４の右側面とを連結する連結部６５が、蓋側係合部６４の右側面の前端から後端まで前後方向に延びる上下一対の板状に形成されており、ケース本体部材５０にケース蓋部材６０が取り付けられたときに連結部６５の前端部が係合底部５６に近接するように構成されている。そのため、ケース本体部材５０（係合底部５６）と連結部６５との間にドライバー等の工具を差し込むことができる程の隙間が生じない。したがって、ケース本体部材５０と連結部６５との間からの工具等のアクセスにより主基板ケース１００が不正に開放されることを防ぐことができる。
【００４１】
また、ケース蓋部材６０の左側の側壁部６６と蓋側係合部６４の右側面とを連結する連結部６５は、ケース本体部材５０と近接する側である前方部分６５ａの板厚（上下方向の厚み）が、後方部分６５ｂよりも薄くなるように形成されている。そのため、ケース本体部材５０と連結部６５との間に無理に工具等を差し込もうとすると、薄厚（薄肉）に形成された連結部６５の前方部分６５ａが破断されて破断痕跡が明確に残るため、主基板ケース１００の不正な開放を早期に発見することができるとともに、不正行為を効果的に抑止することができる。
【００４２】
また、蓋側係合部６４の上下側部に形成された係合突起部６４ａの衝合部分は、蓋側係合部６４の上下側部の前端から後端まで前後方向に延びて、後端側へ徐々に左右の厚みが薄くなるように形成されており、ケース本体部材５０にケース蓋部材６０が取り付けられたときに係合壁部５６ｂよりも後方および、上方もしくは下方に突出するようになっている。そのため、係合壁部５６ｂの右方先端部と係合突起部６４ａの衝合部分との間に工具等を差し込んで主基板ケース１００を不正に開放しようとすると、従来の基板ケースよりも前後および上下に大きく且つ、後端側を薄厚（薄肉）に形成された係合突起部６４ａの衝合部分が破壊されて破壊痕跡が明確に残るため、主基板ケース１００の不正な開放を早期に発見することができるとともに、不正行為を効果的に抑止することができる。
【００４３】
なお、本実施形態において、不正開放防止機構７０は、本体側係合部５６、蓋側係合部６４およびストッパ部材７１の組を４組有しており、主基板ケース１００をこの不正開放防止機構７０で結合保持するためには、いずれか一つのストッパ部材７１を係合爪部７２が蓋側係合部６４に対して外方に突出するように挿入すれば良い。そのため、例えば、主制御基板３１を検査するために主基板ケース１００が開放されても、別の不正開放防止機構７０の組を用いて閉止状態にすることができる。また、切断された蓋側係合部６４（連結部６５）の数により、主基板ケース１００が何回開放されたかを把握することができる。
【００４４】
なお、本発明は上記の実施形態に限定されるものではなく、連結部６５がケース本体部材５０（係合底部５６）に近接するように延びて設けられるという要旨の範囲内において種々の変形が可能である。例えば、本実施形態では、連結部６５が、蓋側係合部６４の右側面の前端から後端まで前後方向に延びる上下一対の板状に形成されているが、一対の連結部６５の後端側（ケース本体部材５０と近接しない側）がつながったドーム状に形成しても良い。このように連結部６５の後端側がドーム状に形成されると、連結部６５の切断痕跡がより明確に残り易いという効果を得ることができる。
【図面の簡単な説明】
【００４５】
【図１】本発明に係る遊技機の一例として示すパチンコ機の正面図である。
【図２】上記パチンコ機の背面側の斜視図である。
【図３】上記パチンコ機に設けられた主基板アッセンブリの分解斜視図である。
【図４】上記主基板アッセンブリを構成する主基板ケースの平面図である。
【図５】上記主基板ケースを構成するケース本体部材とケース蓋部材を示す図であって、（ａ）はケース本体部材の平面図であり、（ｂ）はケース蓋部材の底面図である。
【図６】主基板ケースの要部を拡大した側面図である。
【図７】図４のＶＩＩ‐ＶＩＩ断面図である。
【図８】図４のＶＩＩＩ‐ＶＩＩＩ断面図である。
【符号の説明】
【００４６】
ＰＭ    パチンコ機（遊技機）                    ３１    主制御基板（制御基板）
５０    ケース本体部材                          ５６    本体側係合部
５６ｃ  係合凹部                                ６０    ケース蓋部材
６４    蓋側係合部                              ６５    連結部
６５ａ  前方部分（本体側部分）                  ７０    不正開放防止機構
７１    ストッパ部材                            ７２    係合爪部
１００  主基板ケース（基板ケース）
【図１】
2009148383.tif 000003
【図２】
2009148383.tif 000004
【図３】
2009148383.tif 000005
【図４】
2009148383.tif 000006
【図５】
2009148383.tif 000007
【図６】
2009148383.tif 000008
【図７】
2009148383.tif 000009
【図８】
2009148383.tif 000010